(57)【要約】【課題】  小型モータおよびそれを用いた電子機器において、給電ランドとの接触部で良好な弾性押圧力を保ちつつ、薄型化、小型化を図ることができるようにする。【解決手段】  ロータ４を回転させるための駆動電圧を印加する給電端子６と、給電端子６に電気的に接続された導電性バネ端子１０Ａ、１０Ｂとがハウジング７および弾性部材２に設けられ、バネ端子１０Ａ、１０Ｂを、電源に接続された回路基板２１にそれぞれ押圧状態に取り付けて用いる小型モータ１Ａであって、バネ端子１０Ａ、１０Ｂは、中心軸Ｏに沿うハウジング７の軸方向の端部で給電端子６と電気的に接続する取付部と、この取付部から、中心軸Ｏに交差する平面に沿って、中心軸Ｏ方向から見たハウジング７および弾性部材２の外形範囲に略重なる範囲に延ばされた板バネ部１０ｅを備える構成とする。【選択図】  図３
2008206222.tif 000002
【特許請求の範囲】
【請求項１】
回転子を回転させるための駆動電圧を印加する給電端子と、該給電端子に電気的に接続された導電性のバネ端子とがモータ本体に設けられ、前記バネ端子を、電源に接続された給電ランドにそれぞれ押圧状態に取り付けて用いる小型モータであって、
前記バネ端子は、
前記回転子の軸方向に沿う前記モータ本体の軸方向の端部で前記給電端子と電気的に接続する取付部と、
該取付部から、前記モータ本体の軸方向に交差する平面に沿って、前記モータ本体の軸方向から見たモータ本体の外形範囲に略重なる範囲に延ばされた板バネ部とを備えることを特徴とする小型モータ。
【請求項２】
前記板バネ部は、
前記モータ本体の軸方向に直交する平面内でたわむように延ばされたことを特徴とする請求項１に記載の小型モータ。
【請求項３】
前記板バネ部は、
前記モータ本体の軸方向に沿って互いに離間して設けられ、
前記給電ランドに接触される先端部が前記給電ランドに押圧される場合に、前記モータ本体の中心軸に近づく方向にたわむように傾斜されてなることを特徴とする請求項１または２に記載の小型モータ。
【請求項４】
前記板バネ部は、
前記給電ランドに接触される先端部が前記給電ランドに押圧される場合に、前記モータ本体の中心軸から離れる方向にたわむように傾斜されてなることを特徴とする請求項１または２に記載の小型モータ。
【請求項５】
請求項１〜４のいずれかに記載の小型モータと、
電源に接続された給電ランドを有する回路基板とを備え、
前記小型モータのバネ部を、前記給電ランドに押圧状態に取り付けたことを特徴とする電子機器。
【発明の詳細な説明】
【技術分野】
【０００１】
本発明は、小型モータおよびそれを用いた電子機器に関する。例えば、携帯電話器などの電子機器において給電ランドにバネ端子を押圧状態に取り付けて用いる振動用モータなどに好適となる小型モータおよびそれを用いた電子機器に関する。
【背景技術】
【０００２】
従来、小型モータ、例えば、携帯電話器などの電子機器に用いるような小型モータでは、電子機器本体側の回路基板上に給電ランドが設けられ、モータ本体に設けられたバネ端子を給電ランドに押圧状態に取り付けることによって電気的に接続し、駆動電圧を印加するようにしたものが知られている。
例えば、特許文献１には、小型振動モータのモータ本体の側方に、シャフトに平行に延びる板バネ状の通電端子を設けて、基板上の給電端子に押圧状態で取り付け、電気的に接続するようにした小型モータが記載されている。
また、特許文献２には、モータケースの側方に、出力軸と平行な方向に延ばされた板バネ状のターミナルを設けて、その先端側の接地部を回路基板に押圧状態で取り付け、電気的に接続するようにしたモータ（小型モータ）及び携帯電話（電子機器）が記載されている。
また、特許文献３には、板バネ状の給電端子が、電磁振動体のケースの長手方向底面から導出され電磁振動体の後方に向かって回転軸に対し傾斜しながら電磁振動体の径方向高さの範囲内で延出される構造を有する電磁振動体（小型モータ）とそれを用いた電池駆動機器（電子機器）が記載されている。
【特許文献１】特開２００２−３０５８５５号公報
【特許文献２】特開２００２−３２０３５４号公報
【特許文献３】特開２００３−２２４９４９号公報
【発明の開示】
【発明が解決しようとする課題】
【０００３】
しかしながら、上記のような従来の小型モータおよびそれを用いた電子機器には、以下のような問題があった。
特許文献１、２に記載の技術では、それぞれ板バネ状の通電端子、およびターミナルをモータ本体の側方に設けるので、回路基板上にこれら通電端子、ターミナルを押圧状態で収容するスペースを設ける必要がある。そのため、押圧方向の厚さがモータ本体の厚さより大きくなり薄型化することができないという問題がある。
特許文献３に記載の技術では、板バネ状の給電端子を電磁振動体の後方において径方向高さの範囲内に延出するので、電磁振動体の径方向高さの範囲内に収めることはできるものの、電磁振動体が後方側に長大化し回路基板上に広いスペースを占有することになり電磁振動体を長さ方向に小型化することができないという問題がある。
特許文献３において、板バネ状の給電端子の長さを短縮して長さ方向に小型化することも考えられるが、短縮すればするほどバネ剛性が高くなるため、回路基板に対する押圧力が高くなりすぎ、回路基板や周囲の取り付け部材を変形させてしまったり、給電ランドを損傷してしまったりするおそれがあるという問題がある。
【０００４】
本発明は、上記のような問題に鑑みてなされたものであり、給電ランドとの接触部で良好な弾性押圧力を保ちつつ、薄型化、小型化を図ることができる小型モータおよびそれを用いた電子機器を提供することを目的とする。
【課題を解決するための手段】
【０００５】
上記の課題を解決するために、請求項１に記載の発明では、回転子を回転させるための駆動電圧を印加する給電端子と、該給電端子に電気的に接続された導電性のバネ端子とがモータ本体に設けられ、前記バネ端子を、電源に接続された給電ランドにそれぞれ押圧状態に取り付けて用いる小型モータであって、前記バネ端子は、前記回転子の軸方向に沿う前記モータ本体の軸方向の端部で前記給電端子と電気的に接続する取付部と、該取付部から、前記モータ本体の軸方向に交差する平面に沿って、前記モータ本体の軸方向から見たモータ本体の外形範囲に略重なる範囲に延ばされた構成とする。
この発明によれば、バネ端子の板バネ部が、モータ本体の軸方向の端部で給電端子と電気的に接続する取付部からモータ本体の軸方向に交差する平面に沿って、モータ本体の軸方向から見た外形範囲に略重なる範囲に延ばされるので、板バネ部を、モータ本体の軸方向端部側に配置し、モータ本体の側面に沿うスペースを開放することができる。また、モータ本体の軸方向端部からの板バネ部の突出長さを板バネ部の長手方向の占有寸法より短く設定できるため、板バネ部の長さをある程度確保しつつ、モータ本体の軸方向端部側のスペースを低減することができる。
ここで、モータ本体の軸方向から見たモータ本体の外形範囲に略重なる範囲は、モータ本体の軸方向から見た外形範囲に重なる範囲はもちろんのこと、モータ本体の取り付けに支障のないわずかに外側の範囲をも含むものとする。ただし、給電ランドに接触させる板バネ部の先端部は、押圧時にわずかに外側に突出する範囲にあれば、非押圧時に、わずかに外側の領域を越えて延ばされていてもよいものとする。
【０００６】
請求項２に記載の発明では、請求項１に記載の小型モータにおいて、前記板バネ部は、前記モータ本体の軸方向に直交する平面内でたわむように延ばされた構成とする。
この発明によれば、板バネ部をモータ本体の軸方向に直交する平面内でたわむように延ばされるので、モータ本体の軸方向と鋭角に交差する方向に延ばされた場合に比べて、モータ本体の端部での板バネの配置スペースを低減することができる。
【０００７】
請求項３に記載の発明では、請求項１または２に記載の小型モータにおいて、前記板バネ部は、前記モータ本体の軸方向に沿って互いに離間して設けられ、前記給電ランドに接触される先端部が前記給電ランドに押圧される場合に、前記モータ本体の中心軸に近づく方向にたわむように傾斜されてなる構成とする。
この発明によれば、給電ランドに押圧される板バネ部を、モータの本体の軸方向に沿って互いに離間して設けるため、モータ本体の端部のスペース内で互いに干渉しないようにすることができる。また、モータ本体の中心軸に近づく方向にたわむように傾斜するので、バネ部の長さをある程度確保しつつ、モータ本体の径方向の占有スペースの範囲に板バネ部を収めることができる。
【０００８】
請求項４に記載の発明では、請求項１または２に記載の小型モータにおいて、前記板バネ部は、前記給電ランドに接触される先端部が前記給電ランドに押圧される場合に、前記モータ本体の中心軸から離れる方向にたわむように傾斜されてなる構成とする。
この発明によれば、板バネ部がモータ本体の中心軸から離れる方向にたわむように傾斜するので、板バネ部を同一平面内でたわむように配置しても互いに干渉しないようにすることができる。そのため、板バネ部の配置スペースをモータ本体の軸方向に低減することができる。
【０００９】
請求項５に記載の発明では、電子機器において、請求項１〜４のいずれかに記載の小型モータと、電源に接続された給電ランドを有する回路基板とを備え、前記小型モータのバネ部を、前記給電ランドに押圧状態に取り付けた構成とする。
この発明によれば、請求項１〜４のいずれかに記載の小型モータを備えるので、請求項１〜４のいずれかに記載の発明と同様の作用効果を備える。
【発明の効果】
【００１０】
本発明の小型モータおよびそれを用いた電子機器によれば、モータ本体の側方のスペースを開放し、また板バネ部の長さをある程度確保しつつモータ本体の軸方向端部側のスペースを低減することができるので、モータ側方、給電ランドとの接触部で良好な弾性押圧力を保ちつつ、薄型化、小型化を図ることができるという効果を奏する。
【発明を実施するための最良の形態】
【００１１】
以下では、本発明の実施形態について添付図面を参照して説明する。すべての図面において、実施形態が異なる場合であっても、同一または相当する部材には同一の符号を付し、共通する説明は省略する。
【００１２】
［第１の実施形態］
本発明の第１の実施形態に係る小型モータについて説明する。
図１は、本発明の第１の実施形態に係る小型モータを示す平面図である。図２は、本発明の第１の実施形態に係る小型モータを示す正面図である。図３は、図２のＡ視側面図である。図４は、本発明の第１の実施形態に係る小型モータに用いるバネ端子を示す斜視図である。
【００１３】
本実施形態の小型モータ１Ａは、例えば、携帯電話やデジタルカメラなどの電子機器に内蔵して使用することができるもので、例えば、振動用モータや、レンズユニットのズーミングなどのメカ駆動用モータとして用いることができる。以下では、一例として振動モータの例で説明する。
小型モータ１Ａは、図１〜３に示すように、中心軸Ｏを中心に回転するロータ４（回転子）が、例えば、ステータなど不図示のモータ構成体とともに、中心軸Ｏに沿って延びる略筒状のハウジング７に収められ、ハウジング７の外周部に平面視の幅がＷ、正面視の高さがＨとされ、側面視でＷ×Ｈの略角形断面の外形を有するとともに、ハウジング７の軸方向を覆う範囲に延ばされた、中心部にハウジング７を嵌合可能な貫通孔が設けられた弾性部材２に挿着され、ハウジング７の軸方向端部側に設けられたバネ端子１０Ａ、１０Ｂから、駆動電圧を印加できるようにしたものである。本実施形態のハウジング７は、軸直角断面が略小判状の筒状とされているが、円筒状などであってもよい。
ロータ４の先端には、振動を発生するため、中心軸Ｏに対して重心位置が径方向に偏心された偏心錘５が固定されている。
なお、小型モータ１Ａをメカ駆動用モータなどとして用いる場合には、偏心錘５は、例えばギヤやプーリなどの部材に交換する。
【００１４】
モータの種類としては、特に限定されず、例えば、ブラシＤＣモータ、ブラシレスＤＣモータ、ステッピングモータなどを採用することができる。
また、小型モータ１Ａを取り付ける電子機器も、特に限定されないため、以下では、図２、３に示すように、互いに離間して配置された、モータ保持部材２０と回路基板２１（二点鎖線で示す）との間に、モータ本体を配置して組み立てられる場合の例で説明する。図２、３において、実線で表された回路基板２１は、組み立て前にモータ保持部材２０からの高さがｈ（ただし、ｈ＞Ｈ）に配置された様子を示しており、二点鎖線で示す回路基板２１が組み立て状態の位置を示す。この組み立て状態では、回路基板２１が高さＨよりわずかに低い位置まで相対的に押し下げられ、弾性部材２およびバネ端子１０Ａ、１０Ｂを押圧して、それぞれ弾性変形させるようになっている。このような弾性変形により、弾性部材２からハウジング７に働く圧縮力により、小型モータ１Ａが、モータ保持部材２０と回路基板２１との間に固定されるようになっている。
モータ保持部材２０に対向する回路基板２１の表面には、小型モータ１Ａに駆動電圧を印加するため、不図示の電源に電気的に接続された給電ランド２１ａが２箇所に設けられている。このため、バネ端子１０Ａ、１０Ｂが弾性変形することで、各給電ランド２１ａに適宜の接触力でそれぞれが押圧され、電気的な接続が取れるようになっている。
なお、図２、３は、見易さのため、給電ランド２１ａの厚さを誇張して描いている。実際には、給電ランド２１ａは回路基板２１の表面に整列されている（以下の図も同様）。
【００１５】
弾性部材２は、モータ保持部材２０、回路基板２１に対して滑り止めされるために十分な摩擦係数を有する弾性体、例えば、シリコンゴムの成形品などで構成され、高さ方向の一方の面が、電子機器などのモータ保持部材２０のモータ保持面２０ａに全面的に押圧可能な被取付面２ｃとされている。
また、本実施形態では、高さ方向の反対側の面において、長手方向の両端部に、組み立て時に回路基板２１と接触することで、弾性部材２の上方と回路基板２１との間に適宜の隙間を設けるための突起部２ｄが形成されている。突起部２ｄの位置は、回路基板２１上の部品配置などに応じて適宜の配置を採用することができる。回路基板２１に全面的に押圧してもよい場合には、突起部２ｄは省略してもよい。
また、弾性部材２の偏心錘５と反対側の端部には、被取付面２ｃ側から長さＤだけ軸方向に延出された延出部２ａが設けられている。
延出部２ａ上にバネ端子１０Ａ、１０Ｂの取り付けをガイドする保持溝２ｂが設けられており、バネ端子１０Ａ、１０Ｂをモータ保持部材２０に対して絶縁状態に保持できるようになっている。
ハウジング７およびハウジング７を挿通した弾性部材２は、モータ本体を構成している。
【００１６】
ハウジング７において、偏心錘５と反対側の軸方向端部には、内部のモータ構成体を軸方向から覆うブラケット３が設けられている。
ブラケット３には、ロータ４を回転させる駆動電圧を印加するため、モータ内部の回路と電気的に接続された２つの給電端子６が軸方向に突出されている。
本実施形態では、各給電端子６の側方のブラケット３上において、バネ端子１０Ａ、１０Ｂを位置決めまたは固定するための２つずつの突起部３ａが、各給電端子６を挟むような位置関係に設けられている。
【００１７】
バネ端子１０Ａは、図４に示すように、固定部１０ａ、アーム部１０ｄ、および板バネ部１０ｅを備える導電性部材からなり、少なくとも板バネ部１０ｅは、導電性の弾性部材で形成される。本実施形態のバネ端子１０Ａは、バネ性を有する金属板をプレス加工することでこれら各部が一体に形成されている。
【００１８】
固定部１０ａは、バネ端子１０Ａをブラケット３上に固定するための平板部分である。そして、ブラケット３上の給電端子６を挟む２つの突起部３ａに、それぞれ嵌合する２つの取付穴１０ｃと、給電端子６の突出位置に対応して給電端子６よりわずかに大きい開口の周囲にハンダ付けのためのランドを形成した接続部１０ｂとが設けられている。
このため、各取付穴１０ｃをブラケット３の突起部３ａを嵌合して、固定部１０ａを位置決めし、接続部１０ｂを給電端子６にハンダ付けすることで、バネ端子１０Ａをブラケット３に固定するとともに、給電端子６と電気的に接続させることができるようになっている。
なお、突起部３ａはカシメ可能に設けてもよく、この場合、取付穴１０ｃはカシメ穴として用いることができる。
【００１９】
アーム部１０ｄは、固定部１０ａの長手方向の下側（被取付面２ｃ側）の端部においてハウジング７の外縁部近傍となる位置で、固定部１０ａから略直角に屈曲され、中心軸Ｏに沿う方向に距離ＤA（ただし、ＤA＜Ｄ）だけ延ばされている。
そして、アーム部１０ｄは、延出部２ａの保持溝２ｂに沿って配置されている（図１、３参照）。
このため、アーム部１０ｄは、固定部１０ａとともにバネ端子１０Ａの取付部を構成している。
【００２０】
板バネ部１０ｅは、図３に示すように、アーム部１０ｄの延出方向の先端部から、高さ方向において被取付面２ｃの反対側方向、かつ幅方向において中心軸Ｏに近づく方向の斜め方向に向かって、中心軸Ｏに略直交するように延ばされた平板部分であり、図１に示すように、中心軸Ｏに沿う軸方向に幅ｗ（ただし、ｗ＜ＤA）を有している。
このため、固定部１０ａと板バネ部１０ｅとの間に、隙間ＤA−ｗが形成されているが、この隙間は、給電端子６などブラケット３からの軸方向への突起物と干渉しない程度の隙間とし、板バネ部１０ｅとブラケット３とをできるだけ近接させることが好ましい。
また、板バネ部１０ｅの延出方向の先端は、被取付面２ｃに平行な平面と略平行もしくは浅い角度で交差する方向に、中心軸Ｏに向かって屈曲された平板部分が形成され、この平板部分の中央に、給電ランド２１ａに対して摺動可能に接触する半球状突起からなる接点部１０ｆが絞り加工によって形成されている。
【００２１】
板バネ部１０ｅの長さは、アーム部１０と接する基端部から接点部１０ｆまでの距離で測ってＬAとされ、この基端部を中心として、中心軸Ｏに直交する平面に沿って回動可能な板バネ部を構成している。長さＬAは、幅ｗに比べて大きな値となっている。
また、接点部１０ｆの高さ方向の位置は、図４に示すように、固定部１０ａ、アーム部１０ｄに共通する図４の下側の端部から測って、高さｈSとされている。高さｈSは、組立状態において被取付面２ｃからの接点部１０ｆの先端までの高さが、ｈより大きくなる寸法に設定する。
このため、板バネ部１０ｅは、中心軸Ｏから見たとき、モータ本体の外形範囲に略重なる範囲に配置されている。すなわち、板バネ部１０ｅは、Ｗ×Ｈの矩形領域に重なる範囲に延ばされ、接点部１０ｆを含めた先端部のわずかな部分が、被取付面２ｃと反対方向のＷ×Ｈの矩形領域外に突出されている。
【００２２】
本実施形態では、板バネ部１０ｅの長さＬA、幅ｗは、バネ端子１０Ａの弾性係数とともに、給電ランド２１ａを押圧する弾性力の必要に応じて設定することができる。
板バネ部１０ｅの長さＬAは、固定部１０ａにおけるアーム部１０ｄの配置位置を変えることで、基端部の位置を、Ｗ×Ｈの矩形領域内で変えることにより、例えば、Ｗ×Ｈの矩形領域の対角線と同程度の長さなどに設定することができる。
【００２３】
バネ端子１０Ｂは、バネ端子１０Ａのアーム部１０ｄに代えて、長さがＤB＞ＤA＋ｗとされたアーム部１００ｄを備え、組立時に中心軸Ｏから見た形状が、バネ端子１０Ａと鏡像関係となるような形状、配置位置とされた部材である。
このため、図１に示すように、平面視では、それぞれの板バネ部１０ｅ、接点部１０ｆが、中心軸Ｏ方向に沿って隙間Δ＝ＤB−（ｗ＋ＤA）を空けて離間して配置されている。
一方、側面視では、図３に示すように、組立時に回路基板２１を、実線の位置から二点鎖線の位置まで押圧したときに、各板バネ部１０ｅのたわみ方向が、中心軸Ｏに近づく方向となっている。
【００２４】
このような本実施形態の小型モータ１Ａの構成によれば、バネ端子１０Ａ、１０Ｂが給電端子６と電気的に接続されており、給電ランド２１ａが形成された回路基板２１を小型モータ１Ａの側方から被取付面２ｃ側に向かって相対的に押し付け、バネ端子１０Ａ、１０Ｂをそれぞれ別々の給電ランド２１ａに当接させることで、給電ランド２１ａと電気的に接続することができ、リード線の配線などを用いることなく、電子機器に容易に取り付けることができる。
【００２５】
また、バネ端子１０Ａ、１０Ｂの各板バネ部１０ｅは、中心軸Ｏに直交する方向で小型モータ１Ａの端部に平行に離間して配置されているので、中心軸Ｏに沿う方向では、それぞれの板バネ部１０ｅの幅ｗの２倍と適宜の隙間を設けた程度のスペースに収められている。一方、板バネ部１０ｅの長さＬAは、幅ｗに比べて大きいので、同様の長さの板バネ部を中心軸Ｏに平行な平面に沿って、延在させた場合に比べて、配置スペースを軸方向に短縮することができる。
【００２６】
また、中心軸Ｏ方向から見た側面視では、ハウジング７の外縁部近傍に位置するアーム部１０ｄから、中心軸Ｏに近づく斜め方向に、ハウジング７の外形範囲内を横断して延ばされた板バネ部１０ｅが、押圧時にさらに中心軸Ｏに近づく方向に回動されて、接点部１０ｆが給電ランド２１ａに押圧される。
このため、バネ端子１０Ａ、１０Ｂは、モータ本体の軸方向から見た外形範囲に、略重なる範囲に配置され、接点部１０ｆなど必要な部分以外は、モータ本体の側方に飛び出さない構成とされている。
したがって、板バネ部１０ｅの長さをある程度長く設定することで、良好な弾性押圧力を保ちつつ、バネ端子１０Ａ、１０Ｂを含めた小型モータ１Ａの大きさを薄型化、小型化することが可能となる。
【００２７】
次に本実施形態の変形例について説明する。
図５は、本発明の第１の実施形態の変形例に係る小型モータを示す平面図である。図６は、本発明の第１の実施形態の変形例に係る小型モータを示す正面図である。図７は、図６のＢ視側面図である。図８は、本発明の第１の実施形態の変形例に係る小型モータに用いるバネ端子を示す斜視図である。
【００２８】
本変形例の小型モータ１Ｂは、上記第１の実施形態の小型モータ１Ａのバネ端子１０Ａ、１０Ｂに代えて、バネ端子１０Ｃ、１０Ｄを備え、それに応じて、弾性部材２の延出部２ａの保持溝２ｂの位置などを変更したものである。以下、上記第１の実施形態と異なる点を中心に説明する。
【００２９】
バネ端子１０Ｃは、図５、８に示すように、上記第１の実施形態のバネ端子１０Ｂにおいて、アーム部１００ｄを長さＤC＝ＤAのアーム部１０ｄに変え、板バネ部１０ｅの長さをＬBに変えた構成を有するものである。また板バネ部１０ｅの長さＬBは、ＬAと同様に設定することができる。そして、図７に示すように、上記第１の実施形態において、バネ端子１０Ａが取り付けられていた側の取付穴１０ｃ、給電端子６でそれぞれ位置決めされ、固定されている。
なお、固定部１０ａの形状、例えば、外形の面取りや、取付穴１０ｃの位置などは図示のように配置位置に合わせて適宜変更されている。
【００３０】
このような構成により、バネ端子１０Ｃは、上記第１の実施形態と同様に取り付けられた固定部１０ａの被取付面２ｃ側の端部において、より中心軸Ｏに近接した位置にアーム部１０ｄが延出され、保持溝２ｂに嵌め込まれている。
そして、板バネ部１０ｅは、このアーム部１０ｄの先端部から、中心軸Ｏから離れる（遠ざかる）方向の斜め方向、すなわち、接点部１０ｆの、図７における左右幅方向の位置が、アーム部１０ｄに比べて中心軸Ｏから離れるような斜め方向に延ばされている。
【００３１】
また、バネ端子１０Ｄは、図５、８に示すように、上記第１の実施形態のバネ端子１０Ａにおいて、板バネ部１０ｅの長さをＬBに変えたものである。アーム部１０ｄの長さはＤD＝ＤAとする。そして、図７に示すように、上記第１の実施形態において、バネ端子１０Ｂが取り付けられていた側の取付穴１０ｃ、給電端子６でそれぞれ位置決めされ、固定されている。
バネ端子１０Ｄは、中心軸Ｏを通り被取付面２ｃに直交する平面に対して、バネ端子１０Ｃと面対称な形状、配置位置とされた部材である。
【００３２】
このような小型モータ１Ｂの構成によれば、中心軸Ｏ方向から見た側面視では、各板バネ部１０ｅが、ハウジング７の幅方向の中間部に位置するアーム部１０ｄから、中心軸Ｏから離れる斜め方向にハウジング７の外形の範囲内を横断して延ばされているため、給電ランド２１ａに押圧状態とされると、接点部１０ｆが、さらに中心軸Ｏから離れる方向に回動される。
このため、バネ端子１０Ｃ、１０Ｄの各板バネ部１０ｅは、各アーム部１０ｄが、ＤC＝ＤDのように、中心軸Ｏに直交する平面に整列して配置されていても、押圧時に各板バネ部１０ｅが干渉し合うおそれがない。
このように、各板バネ部１０ｅの中心軸Ｏに沿う方向の配置位置を、ＤC＝ＤDとして、中心軸Ｏに直交する同一面に整列することで、中心軸Ｏに沿う方向では、バネ端子１０Ｃ、１０Ｄを、各板バネ部１０ｅの幅ｗと適宜の隙間を設けた程度の、板バネ部１０ｅの長さＬBに比べて狭いスペースに収めることができる。
このため、小型モータ１Ｂの軸方向の配置スペースをより短縮することができる。
【００３３】
［第２の実施形態］
次に、本発明の第２の実施形態に係る電子機器について説明する。
図９は、本発明の第２の実施形態に係る電子機器の外観斜視図である。図１０は、本発明の第２の実施形態に係る電子機器の裏面側における部分断面を示す斜視図である。
【００３４】
本実施形態の携帯電話２００は、上記第１の実施形態に係る小型モータ１Ａを用いた電子機器である。
携帯電話２００の概略構成は、図９に示すように、上ケース２０１ａ、下ケース２０１ｂが合わされてなる上下に扁平な略直方体状の筐体２０１の長手方向の側面側に、アンテナ２０２が突設され、上ケース２０１ａ側に、受話部２０４、表示部２０３、複数の操作ボタン２０６、および送話部２０５を備え、図１０に示すように、下ケース２０１ｂ側に、充電池からなる電源２１０が着脱可能に設けられている。
【００３５】
筐体２０１の内部には、図１０に示すように、回路基板２０９が上ケース２０１ａに固定して設けられている。回路基板２０９の下ケース２０１ｂ側の表面には、制御部２０７、電気回路２０８がそれぞれ設けられ、携帯電話２００の動作の制御を可能としている。電気回路２０８には、不図示の接続端子を介して、電源２１０が接続されている。
【００３６】
回路基板２０９の下ケース２０１ｂ側には、小型モータ１Ａが回路基板２０９側に向けて固定された支持ベース２１１が配置されている。
回路基板２０９の電気回路２０８は、小型モータ１Ａに対して、電源２１０と電気的に接続された給電ランド２０９ａが、図１、３に示すように、上記第１の実施形態における回路基板２１における給電ランド２１ａと同様に形成され、回路基板２０９と支持ベース２１１との位置関係も第１の実施形態における回路基板２１とモータ保持部材２０と同様の位置関係に設けられている。
すなわち、小型モータ１Ａは、支持ベース２１１および回路基板２０９の間に挟持され、弾性部材２が圧縮されることで、支持ベース２１１および回路基板２０９に沿う方向の位置が固定された状態で取り付けられている。
【００３７】
このような構成の携帯電話２００によれば、バネ端子１０Ａ、１０Ｂを軸方向端部側にコンパクトに設けた小型モータ１Ａを振動モータとして内蔵しているため、回路基板２０９の配置スペースおよび回路基板２０９と支持ベース２１１との間の離間距離を低減することができる。そのため、携帯電話２００が、薄型化、小型化されるものである。
【００３８】
なお、上記の説明では、バネ端子の板バネ部が、モータ本体の軸方向に直交する平面に沿って、モータ本体の軸方向から見たモータ本体の外形範囲に略重なる範囲に延ばされた場合の例で説明したが、モータ本体の軸方向に交差する平面に沿って、モータ本体の軸方向から見たモータ本体の外形範囲に略重なる範囲に延ばされていてもよい。
この場合、板バネ部の長さが同じであれば、モータ本体の軸方向に平行な平面に沿って、軸方向から見たモータ本体の外形範囲に略重なる範囲に延ばされた場合に比べて、板バネ部の配置領域を軸方向に低減することができるため、小型モータを小型化することができる。
そして、軸方向から見たモータ本体の外形範囲に略重なる範囲において、板バネ部の長さをより長く設定することが可能となるため、給電ランドに対する押圧力の調整が容易となる。
小型化の観点からは、モータ本体の軸方向に交差する平面の交差角度は、９０°に近いことが好ましい。例えば、４５°〜９０°が好ましく、８０°〜９０°がより好ましい。
【００３９】
また、上記の説明では、バネ端子の２つの板バネ部が、給電ランド接触される先端部が給電ランドへの押圧される場合に、そろってモータ本体の中心軸に近づく、あるいは離れる方向にたわむように傾斜された構成の例で説明したが、一方が近づき、他方が離れるようにしてもよい。
【００４０】
また、上記の説明では、バネ端子の構成が、モータの中心軸を通る平面に対して面対称となる構成の例で説明したが、例えば、配置レイアウトの都合により、例えば、板バネ部の長さや傾斜方向などの形状を変えて非対称な形状に形成してもよい。
【００４１】
また、上記第１の実施形態の変形例の説明では、バネ端子１０Ｃ、１０Ｄにおいて、ＤC＝ＤDとしたが、上記第１の実施形態のＤA、ＤBのような寸法関係として、モータ本体の軸方向から見て、板バネ部１０ｅ同士がＸ字状に交差する位置関係に設けてもよい。この場合、板バネ部１０ｅの長さをより長く設定することができる。
【００４２】
また、上記の説明では、モータ本体が、軸方向に一定の矩形断面で延ばされてなる場合の例で説明したが、モータ本体は、軸方向断面が変化する外形を有していてもよい。この場合、板バネ部が略重なる範囲は、モータ本体の軸方向から見た最大の外形範囲をとする。
【００４３】
また、上記第２の実施形態の説明では、小型モータとして、第１の実施形態の小型モータ１Ａを用いた例で説明したが、変形例の小型モータ１Ｂを用いてもよい。また、本発明の構成要素を本発明の技術的思想の範囲で組み合わせた変形例はすべて採用することができる。
【００４４】
また、電子機器が携帯電話の場合の例で説明したが、これは一例であって、電子機器は、携帯電話に限定されない。例えば、電話機能付きの携帯端末に用いてもよい。また例えば、本発明の小型モータを光学系のズーム駆動用モータとして用いることで、デジタルカメラなどの電子機器にも用いることができる。
【図面の簡単な説明】
【００４５】
【図１】本発明の第１の実施形態に係る小型モータを示す平面図である。
【図２】本発明の第１の実施形態に係る小型モータを示す正面図である。
【図３】図２のＡ視側面図である。
【図４】本発明の第１の実施形態に係る小型モータに用いるバネ端子を示す斜視図である。
【図５】本発明の第１の実施形態の変形例に係る小型モータを示す平面図である。
【図６】本発明の第１の実施形態の変形例に係る小型モータを示す正面図である。
【図７】図６のＢ視側面図である。
【図８】本発明の第１の実施形態の変形例に係る小型モータに用いるバネ端子を示す斜視図である。
【図９】本発明の第２の実施形態に係る電子機器の外観斜視図である。
【図１０】本発明の第２の実施形態に係る電子機器の裏面側における部分断面を示す斜視図である。
【符号の説明】
【００４６】
１Ａ、１Ｂ  小型モータ
２  弾性部材
２ａ  延出部
２ｃ  被取付面
３  ブラケット
４  ロータ（回転子）
５  偏心錘
６  給電端子
７  ハウジング
１０Ａ、１０Ｂ、１０Ｃ、１０Ｄ  バネ端子
１０ａ  固定部（取付部）
１０ｄ  アーム部（取付部）
１０ｅ  板バネ部
１０ｆ  接点部（先端部）
２１、２０９  回路基板
２１ａ、２０９ａ  給電ランド
Ｏ  中心軸
２００  携帯電話（電子機器）
【図１】
2008206222.tif 000003
【図２】
2008206222.tif 000004
【図３】
2008206222.tif 000005
【図４】
2008206222.tif 000006
【図５】
2008206222.tif 000007
【図６】
2008206222.tif 000008
【図７】
2008206222.tif 000009
【図８】
2008206222.tif 000010
【図９】
2008206222.tif 000011
【図１０】
2008206222.tif 000012